(57)【要約】【課題】遊技機内部のハーネスおよびハーネス側コネクタを保護する遊技機を提供する。【解決手段】  本発明に係る遊技機は、遊技機本体３の一部を構成する本体枠３ａと、本体枠３ａの背面側に設けられ、基板側コネクタ４５ａを備えた演出制御基板４５と、演出制御基板４５を含む制御基板ケース５０と、端部にハーネス側コネクタ２１０ａを備え、当該ハーネス側コネクタ２１０ａが制御基板ケース５０の側方から基板側コネクタ２１０ａと嵌合して演出制御基板４５と他の所定の基板とを電気的に接続するハーネス２１０と、制御基板ケース５０の端部に位置して本体枠３ａにおける背面側の周縁部に配置され、ハーネス２１０の少なくとも一部を覆うとともにハーネス側コネクタ２１０ａの嵌合方向とは反対側の位置に壁部２００ｆを備えた保護カバー２００とを有する。【選択図】      図３
2006087550.tif 000002
【特許請求の範囲】
【請求項１】
遊技機本体の一部を構成する本体枠と、
前記本体枠の背面側に設けられ、基板側コネクタを備えた基板と、
前記基板を含む制御基板ケースと、
端部に配線側コネクタを備え、当該配線側コネクタが前記基板側コネクタと嵌合して前記基板と他の所定の基板とを電気的に接続する配線と、
前記制御基板ケースの端部に位置して前記本体枠における背面側の周縁部に配置され、前記配線の少なくとも一部を覆うとともに前記配線側コネクタの嵌合方向とは反対側の位置に壁部を備えた保護カバーと、
を有することを特徴とする遊技機。
【請求項２】
前記保護カバーは、
前記配線側コネクタを含んだ部分を覆うことを特徴とする請求項１記載の遊技機。
【請求項３】
前記配線側コネクタは、前記制御基板ケースの側方から前記基板側コネクタと嵌合し、  前記本体枠は、島設備に固定されるベース枠に一方端を回動支点として支持されて当該ベース枠に開閉可能に取り付けられ、
前記保護カバーは、前記制御基板ケースの端部に位置して前記本体枠における前記回動支点とは反対側に配置されること特徴とする請求項１または２記載の遊技機。
【請求項４】
前記保護カバーまたは前記制御基板ケースのいずれか一方には位置決めピンが設けられ、他方には前記位置決めピンが嵌合する位置決め穴が形成されて、
前記保護カバーは前記位置決めピンと前記位置決め孔との嵌合により前記制御基板ケースに取り付けられていることを特徴とする請求項１〜３の何れか一項に記載の遊技機。
【請求項５】
前記保護カバーの前記壁部から前記基板側コネクタまでの距離は、前記配線側コネクタの嵌合方向の長さと前記配線を前記配線側コネクタの付け根から曲げるように折り返したときの前記配線側コネクタからの最小の突出長さとの合計よりも小さいことを特徴とする請求項１〜４の何れか一項に記載の遊技機。
【請求項６】
前記保護カバーは、その下端部で前記制御基板ケースを支持することを特徴とする請求項１〜５の何れか一項に記載の遊技機。
【発明の詳細な説明】
【技術分野】
【０００１】
本発明は、遊技機に関し、特に遊技機内部に、電子部品に接続する配線を具備するパチンコ遊技機やスロットマシン等の遊技機に適用して有効な技術に関するものである。
【背景技術】
【０００２】
近年、遊技機のさまざまな演出等を行うために電子制御部品（電子部品）が増え、遊技機内部（本体枠背面）の構造は複雑化してきており、そのための配線は煩雑になってきている。そして、この配線を整然とさせるために、リアカバー外面に配線用の係止用のフックを設けた遊技機も知られている（例えば、特許文献１）。
【特許文献１】特開２００１−３４７０２６号公報
【発明の開示】
【発明が解決しようとする課題】
【０００３】
しかしながら、上述の遊技機においては、コネクタ接続のために配線の長さに遊びが必要であるため、その遊びによる配線のたるみによって、遊技機の点検の時や搬送の際に指などを引っ掛けたり等して断線させてしまったり、コネクタを抜けさせたりしてしまったりする等の問題が生じていた。
【０００４】
また、配線が剥き出しとなっていたため、この配線に細工をする等の行為、いわゆる不正行為を行われるおそれもあった。
【０００５】
そこで、本発明は、遊技機内部の配線および配線側コネクタを保護する遊技機を提供することを目的とする。
【課題を解決するための手段】
【０００６】
上記課題を解決するため、本発明に係る遊技機は、遊技機本体（遊技機本体３）の一部を構成する本体枠（本体枠３ａ）と、本体枠の背面側に設けられ、基板側コネクタ（基板側コネクタ４５ａ）を備えた基板（演出制御基板４５）と、基板を含む制御基板ケース（制御基板ケース５０）と、端部に配線側コネクタ（ハーネス側コネクタ２１０ａ）を備え、当該配線側コネクタが制御基板ケースの側方から基板側コネクタと嵌合して基板と他の所定の基板とを電気的に接続する配線（ハーネス２１０）と、制御基板ケースの端部に位置して本体枠における背面側の周縁部に配置され、配線の少なくとも一部を覆うとともに配線側コネクタの嵌合方向とは反対側の位置に壁部（壁部２００ｆ）を備えた保護カバー（保護カバー２００）とを有することを特徴とする。
【０００７】
これにより、点検や輸送の際等に、指などを引っ掛けてしまうことを防止することができ、本体枠背面側の周縁部に配置されている配線の断線や配線側コネクタの抜け落ち等を防ぐことができる。さらに、配線を用いた不正行為を防止することもでき、安全性を高めることができる。また、壁部が、配線側コネクタの嵌合方向とは反対側に位置しているので、これによっても配線側コネクタの抜け落ち等を防ぐことができる。
【０００８】
本発明の好ましい形態において、保護カバーは、配線側コネクタを含んだ部分を覆うことを特徴とする。
【０００９】
これにより、配線側コネクタの抜け落ち等をより確実に防ぐことができる。
【００１０】
本発明のさらに好ましい形態において、配線側コネクタは、制御基板ケースの側方から前記基板側コネクタと嵌合し、本体枠は、島設備に固定されるベース枠（ベース枠３ｂ）に一方端を回動支点として支持されて当該ベース枠に開閉可能に取り付けられ、保護カバーは、制御基板ケースの端部に位置して本体枠における回動支点とは反対側に配置されることを特徴とする。
【００１１】
これにより、本体枠背面側の開閉端側に配置されている配線が、本体枠の回動等を契機とする挟み込まれ等により断線することを防止できる。
【００１２】
さらに、配線側コネクタは、制御基板ケースの側方から基板側コネクタと嵌合するため、制御基板ケースの正面から嵌合する場合に比べて抜け落ちにくくなる。すなわち、配線に手が引っかかったときには、配線は作業者の方向に引っ張られるが、制御基板ケースの側方から嵌合している配線側コネクタの抜き取り方向はこれとは異なる方向になるので、配線側コネクタが抜け落ちにくくなるものである。
【００１３】
なお、側方から嵌合する場合には、本体枠の回動時に配線が挟み込まれ易くなるおそれがあるが、本発明では、保護カバーや保護カバーの壁部が配線や配線側コネクタを保護しているので、このようなおそれは未然に防止される。
【００１４】
本発明のさらに好ましい形態において、保護カバーまたは制御基板ケースのいずれか一方には位置決めピンが設けられ、他方には位置決めピンが嵌合する位置決め穴が形成されて、保護カバーは位置決めピンと位置決め孔との嵌合により制御基板ケースに取り付けられていることを特徴とする。
【００１５】
これにより、保護カバーを制御基板ケースに取り付けることが容易になる。
【００１６】
本発明のさらに好ましい形態において、保護カバーの壁部から基板側コネクタまでの距離は、配線側コネクタの嵌合方向の長さと配線を配線側コネクタの付け根から曲げるように折り返したときの配線側コネクタからの最小の突出長さとの合計よりも小さいことを特徴とする。
【００１７】
これにより、配線側コネクタを抜くために必要な距離がなくなるため、配線側コネクタの抜け落ち等をより確実に防ぐことができる。
【００１８】
本発明のさらに好ましい形態において、保護カバーは、その下端部で制御基板ケースを支持することを特徴とする。
【００１９】
これにより、保護カバーは、配線等の保護を図りつつ、制御基板ケース自体を本体枠の背面において支持することができる。
【発明の効果】
【００２０】
本発明によれば以下の効果を奏することができる。
【００２１】
すなわち、本発明によれば、保護カバーが、本体枠背面側の周縁部に配置されている配線および配線側コネクタの少なくとも一部を覆っているので、点検や輸送の際等に、指などを引っ掛けてしまうことを防止することができ、本体枠背面側の周縁部に配置されている配線の断線や、配線側コネクタの抜け落ち等を防ぐことができる。さらに、配線を用いた不正行為を防止することもでき、安全性を高めることができる。また、壁部が、配線側コネクタの嵌合方向とは反対側に位置しているので、これによっても配線側コネクタの抜け落ち等を防ぐことができる。
【発明を実施するための最良の形態】
【００２２】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２３】
（実施の形態１）
【００２４】
図１は実施の形態１に係る遊技機を示す斜視図、図２は図１の遊技機の本体枠の背面側を示す説明図、図３は本発明の要部である保護カバーの配置状態を示す説明図、図４は図３の説明図を分解した状態を示す斜視図、図５は実施の形態１に係る制御基板ケースおよび制御基板ケースに取り付けられた保護カバーの背面図、図６は実施の形態１に係る保護カバーを示す斜視図、図７は実施の形態１に係る保護カバーの裏面を示す斜視図、図８はハーネス側コネクタと基板側コネクタとの嵌合関係を示す説明図である。
【００２５】
図１に示すように、パチンコ遊技機（遊技機）１は、遊技盤２ａが装着された本体枠３ａがヒンジを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２６】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２ａを通して視認可能になっている。  
【００２７】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域へ遊技球を打ち込む際に回動操作される発射ハンドル７が設けられている。さらに、遊技終了時などにおいて上皿５ａに貯留された遊技球を下皿５ｂに移動させて取り出す場合に操作されるシャッタレバー１０が設けられている。
【００２８】
なお、ガラス扉４の上部の左右には、スピーカ８ａ，８ｂがそれぞれ配置されている。
【００２９】
次に、図２を用いて本体枠３ａの背面側の構成について説明する。
【００３０】
図２は、本体枠３ａの背面側を示す説明図である。
【００３１】
なお、図２において、向かって右側がヒンジ側（ヒンジを介してベース枠３ｂに回動可能に取り付けられている側。すなわち、回動支点として支持される側。）であり、左側が開閉端側である。そのため、遊技機内部が開放される場合は、開閉端側から開放される。
【００３２】
また、同図に示すように、本体枠３ａの背面には、遊技機１の動作を実現するためのさまざまな電子部品や電子部品等を実装した基板等が搭載されている。
【００３３】
例えば、本体枠３ａの背面中央には、予め設定されたプログラムに従ってパチンコ機１の遊技動作を行うメインＣＰＵ（超小型演算処理装置）等を実装する主制御基板１００が、本体枠３ａの背面の中央よりやや上右側にはＡＣ電源の取り込みや基板間の信号の中継を行う枠中継基板１３０が、本体枠３ａの背面の中央よりやや下左側には各電子部品が動作するために必要な電圧の電源を生成する電源基板１５０が、本体枠３ａの背面の中央よりやや下右側には、賞球や貸球等を皿ユニット５に向けて払出す払出装置（図示せず）を駆動制御する払出制御基板１７０がそれぞれ搭載されている。なお、本体枠３ａの背面の上部には遊技球が貯留される貯留タンク４００が配置されている。さらに、本体枠３ａの背面の各所には、電子部品を搭載した基板間を電気的に接続する配線であるハーネス（例えば、図４に示すハーネス２１０）が伸びている。
【００３４】
そして、本体枠３ａの背面の中央よりやや上左側、すなわち、主制御基板１００の上方には、制御基板ケース５０が搭載されている。制御基板ケース５０は、特別図柄等および所定の演出画像に係る画像データが格納された電子部品（ＣＰＵ、ＲＯＭ）が内蔵されたＲＯＭカートリッジが取り付けられている演出制御基板４５と、演出制御基板４５に搭載された電子部品等に電気的に接続するように備えられられ、後述するハーネス側コネクタ（配線側コネクタ）２１０ａと嵌合する基板側コネクタ４５ａと、上述のＲＯＭカートリッジを覆う規制カバー４８が形成され、演出制御基板４５を覆う基板カバー４７とを備えている。また、基板カバー４７の表面部４７ａには、遊技機１の動作に必要な電子部品等が搭載された基板ケース６０が取り付けられている。
【００３５】
なお、本実施の形態の演出制御基板４５は、液晶ユニット４０の画像表示制御や、遊技機１の各所に配置されているランプ・ＬＥＤ（図示せず）等の発光表示制御、スピーカ８ａ，８ｂからの音出力制御を実行する。
【００３６】
また、演出制御基板４５に搭載される電子部品の種類に関しては、本発明においては特に限定しない。つまり、上述のようなＣＰＵ等であってもよいし、他の電子部品、例えば、スイッチ等であってもよい。
【００３７】
さらに、制御基板ケース５０の左端には、本発明の要部である保護カバー２００（図６）が固定されている（また、図２に示すとおり、保護カバー２００の位置は本体枠３ａ背面の開閉端側である。）。なお、本実施の形態においては、ネジ孔２００ａ，２００ｂをそれぞれ介して本体枠３ａの背面にネジを取り付けることにより、保護カバー２００が固定されている。但し、これに限定されず、例えば、保護カバー２００と本体枠３ａの背面とをピン等により固定してもよいし、接着により固定してもよい。
【００３８】
このように、本体枠３ａの背面には、電子部品や基板等が搭載されている。
【００３９】
但し、これらＣＰＵなどの電子部品を実装（搭載）した主制御基板１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また主制御基板１００を、制御基板ケース５０内に含めるなど、基板としての構成には様々な態様が考えられる。
【００４０】
次に、図３〜図７を用いて本発明の要部である保護カバー２００について説明する。
【００４１】
保護カバー２００は、図４、図６およひ図７に示すように、基板側コネクタ４５ａの形状に合わせて凹凸が形成されるようになっている。本実施の形態においては、図４に示す向かって右端に位置する基板側コネクタ４５ａが突出しているため、この突出したコネクタの形状に合わせて凸部が形成されている。
【００４２】
さらに、保護カバー２００は、例えばプラスチックなどの合成樹脂からなり、一体的成型品となっている。
【００４３】
なお、保護カバー２００は、成型などにより当初より一体不可分に形成されていてもよく、また、別体で形成されたものを組み合わせて固定することにより一体化してもよい。そして、本明細書でいう一体的とは、両者を含んだ概念である。
【００４４】
また、本実施の形態において保護カバー２００は、透明性を有しない合成樹脂からなっているが、これに限られず、例えば、ポリカーボネートなどの透明性を有する樹脂からなっていてもよい。透明性を有する部材であれば、コネクタがしっかりと嵌合しているかを保護カバー２００を付けた状態で確認することができる。
【００４５】
また、保護カバー２００は、ハーネス側コネクタ２１０ａが基板側コネクタ４５ａから抜け落ちることを阻止する壁部２００ｆを有している。
【００４６】
保護カバー２００が、図３に示すように基板ケース５０に取り付けられると、ハーネス側コネクタ２１０ａの嵌合方向とは反対側に壁部２００ｆが位置するようになる。この壁部２００ｆによりハーネス側コネクタ２１０ａが基板側コネクタ４５ａから抜け落ちることを防ぐことができる。
【００４７】
ここで、ハーネス側コネクタ２１０ａが、基板側コネクタ４５ａから抜け落ちることを防ぐことのできる原理について、図８を参照して説明する。
【００４８】
図８は、ハーネス側コネクタと基板側コネクタとの嵌合関係を示す説明図である。
【００４９】
保護カバー２００が、図３に示すように制御基板ケース５０に取り付けられた場合、壁部２００ｆは、ハーネス側コネクタ２１０ａと基板側コネクタ４５ａとが嵌合する位置の反対側に位置するようになる（図８）。なお、ハーネス側コネクタ２１０ａは、制御基板ケース５０の側方、すなわち、演出制御基板４５の側方から嵌合するようになっている。そのため、基板側コネクタ４５ａは、このようなハーネス側コネクタ２１０ａに対応するため、側方を向いている。
【００５０】
ここで、壁部２００ｆの裏面から基板側コネクタ４５ａまでの距離をＺ、ハーネス側コネクタ２１０ａの嵌合方向の長さをＸ、ハーネス２１０をハーネス側コネクタ２１０ａの付け根から曲がるように折り返したときのハーネス側コネクタ２１０ａからの最小の突出長さをＹとすると、ＺがＸとＹとの和よりも小さければ、ハーネス側コネクタ２１０ａが基板側コネクタ４５ａから抜け落ちることはない。そして、本実施の形態において、Ｚは、ＸとＹとの和よりも小さくしているため、ハーネス側コネクタ２１０ａを抜くために必要な距離がなくなるので、ハーネス側コネクタ２１０ａが抜け落ちることはない。
【００５１】
したがって、本発明は、ハーネス側コネクタ２１０ａの抜け落ちを防ぐことができる。
【００５２】
また、保護カバー２００の壁部２００ｆの両端には、前述したネジ孔２００ａ，２００ｂがそれぞれ形成されており、それらネジ孔の垂直方向には、切り欠きが形成されている。このような切り欠きが形成されていることにより、ネジを取り付ける際のツール（ドライバ等）が保護カバー２００と干渉することのないよう配慮されている。
【００５３】
さらに、保護カバー２００の裏面には、位置決めピン２００ｃ，２００ｄが設けられている（図７）。位置決めピン２００ｃは、保護カバー２００に形成されている凸部の右側に、位置決めピン２００ｄは、保護カバー２００に形成されている凸部の左側にそれぞれ設けられている（図７）。これらの位置決めピン２００ｃ，２００ｄは、後述する位置決め穴４７ｃ，４７ｄ（図４）に、それぞれ嵌合するようになっている。
【００５４】
図３は、本発明の要部である保護カバー２００の配置状態を示す説明図である。
【００５５】
図３に示すとおり、演出制御基板４５に電気的に接続されるハーネス２１０等が、保護カバー２００の隙間（保護カバー２００の隙間については、図５の背面図参照。同図に示すように、保護カバーの裏面において隙間が形成されている。）から他の基板に向かって伸びている。
【００５６】
また、保護カバー２００が本体枠３ａに固定されていることに関しては前述したとおりであるが、さらに保護カバー２００は、図３に示すように制御基板ケース５０にも取り付けられている（詳しくは後述する）。
【００５７】
図４は、図３の説明図を分解した状態を示す分解斜視図である。
【００５８】
図４に示すとおり、ハーネス２１０の端部に備えられたハーネス側コネクタ２１０ａが演出制御基板４５に備えられた基板側コネクタ４５ａと嵌合することにより、演出制御基板４５に搭載された電子部品とハーネス２１０とが電気的に接続される。なお、ハーネス２１０の他端に備えられたハーネス側コネクタが他の基板に備えられたコネクタと嵌合することにより、制御基板ケース５０に搭載された電子部品と他の基板に搭載された電子部品とが電気的に接続される。
【００５９】
また、保護カバー２００は、保護カバー２００の裏面に設けられた位置決めピン２００ｃ，２００ｄ（図７）が、基板カバー４７の表面部４７ａに形成された位置決め穴４７ｃ，４７ｄに、それぞれ嵌合することにより制御基板ケース５０に取り付けられるようになっている。
【００６０】
上記のように制御基板ケース５０に取り付けられることにより、保護カバー２００は、ハーネス２１０の一部と、ハーネス側コネクタ（配線側コネクタ）２１０ａと基板側コネクタ４５ａとが嵌合する位置を覆うようになっている。また、これにより、前述したとおり、ハーネス側コネクタ２１０ａが基板側コネクタ４５ａから抜け落ちることを保護カバー２００の壁部２００ｆにて阻止するようになる。
【００６１】
このように、本実施の形態によれば、保護カバー２００が、ハーネス２１０およびハーネス側コネクタ２１０ａの少なくとも一部を覆っているので、点検や輸送の際等に、指などを引っ掛けてしまうことを防止することができ、ハーネス２１０の断線や、ハーネス側コネクタ２１０ａの抜け落ち等を防ぐことができる。さらに、ハーネス２１０を用いた不正行為を防止することもでき、安全性を高めることができる。
【００６２】
また、本実施の形態によれば、保護カバー２００は、本体枠３ａにおける背面側の開閉端側に配置されていることを特徴としているので、本体枠３ａ背面側の開閉端側に配置されているハーネス２１０が、本体枠３ａの回動等を契機とする挟み込まれ等により断線することを防止できる。また、壁部２００ｆが、ハーネス側コネクタ２１０ａの嵌合方向とは反対側に位置しているので、これによってもハーネス側コネクタ２１０ａの抜け落ち等を防ぐことができる。
【００６３】
（実施の形態２）
【００６４】
本発明に係る遊技機は、上述の実施の形態１の遊技機に限定されるものではない
【００６５】
以下において、本実施の形態の遊技機について説明する。なお、ここでは、上述の実施の形態１の遊技機との相違点についてのみ説明する。
【００６６】
図９は、本実施の形態に係る制御基板ケースおよび制御基板ケースを支持する保護カバーの背面図である。
【００６７】
本実施の形態においては、図９に示すように、保護カバー２００の下端部２００ｅが、制御基板ケース５０の下端部に接するようになっている。
【００６８】
これにより、保護カバー２００の下端部２００ｅは、制御基板ケース５０の重力方向への移動を規制するので、結果として制御基板ケース５０の落下等を防止できる。
【００６９】
このようにして、保護カバー２００は、ハーネス２１０等の保護を図りつつ、制御基板ケース５０自体を本体枠３ａの背面において支持することができる。
【００７０】
以上、本発明の実施の形態を説明したが、これは本発明を具体的に例示したに過ぎず、特に本発明を限定するものではない。
【００７１】
また、本実施の形態においては、保護カバー２００に設けられた位置決めピンと、基板カバー４７の表面部４７ａに形成された位置決め穴とが嵌合することにより、制御基板ケース５０に保護カバー２００が取り付けられるようになっているが、これに限られず、位置決めピンと位置決め穴はそれぞれ逆に形成されてもよい。また、保護カバー２００は、ネジ止めや、接着等の他の方法で取り付けられてもよい。
【００７２】
さらに、保護カバー２００は、上述する基板カバー４７の表面部４７ａ以外の場所に取り付けられるようにしてもよい。例えば、基板カバー４７の裏面でもよいし、演出制御基板４５に直接取り付けられるようにしてもよい。
【００７３】
また、本実施の形態において、演出制御基板４５に備えられている基板側コネクタ４５ａは、側方から嵌合してくるハーネス側コネクタ２１０ａに対応するため、側方に向けられている。当該演出制御基板４５はこのような構成であるため、パチンコ遊技機とスロットマシンとで共用することができる。
【００７４】
また、ハーネス側コネクタ２１０ａは、上述のとおり演出制御基板４５の側方（つまり、制御基板ケース５０の側方。）から嵌合するため、制御基板ケース５０の正面から嵌合する場合に比べて抜け落ちにくくなっている。すなわち、ハーネス２１０に手が引っかかったときには、ハーネス２１０は作業者の方向に引っ張られるが、制御基板ケース５０の側方から嵌合しているハーネス側コネクタ２１０ａの抜き取り方向はこれとは異なる方向になるので、ハーネス側コネクタ２１０ａが抜け落ちにくくなるものである。
【００７５】
なお、側方から嵌合する場合には、本体枠３ａの回動時にハーネス２１０が挟み込まれ易くなるおそれがあるが、本発明では、保護カバー２００や保護カバー２００の壁部２００ｆがハーネス２１０やハーネス側コネクタ２１０ａを保護しているので、このようなおそれは未然に防止される。
【００７６】
また、本実施の形態においては、保護カバー２００は、制御基板ケース５０に取り付けられているが、本発明では、必ずしも制御基板ケース５０に取り付けられなくともよい。また、他の基板（例えば主制御基板１００等）に取り付けられてもよい。また、本体枠３ａ背面のヒンジ側に取り付けられてもよいし、本体枠３ａ背面の周縁部（本体枠３ａ背面の上端、下端など）に取り付けられてもよい。
【産業上の利用可能性】
【００７７】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００７８】
【図１】実施の形態１に係る遊技機を示す斜視図である。
【図２】図１の遊技機の本体枠の背面側を示す説明図である。
【図３】本発明の要部である保護カバーの配置状態を示す説明図である。
【図４】図３の説明図を分解した状態を示す斜視図である。
【図５】実施の形態１に係る制御基板ケースおよび制御基板ケースに取り付けられた保護カバーの背面図である。
【図６】実施の形態１に係る保護カバーを示す斜視図である。
【図７】実施の形態１に係る保護カバーの裏面を示す斜視図である。
【図８】ハーネス側コネクタと基板側コネクタとの嵌合関係を示す説明図である。
【図９】実施の形態２に係る制御基板ケースおよび制御基板ケースを支持する保護カバーの背面図である。
【符号の説明】
【００７９】
１  パチンコ遊技機（遊技機）
２ａ  遊技盤
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
４０  液晶ユニット
４５  演出制御基板（基板）
４５ａ  基板側コネクタ
４６  ＲＯＭカートリッジ
４７  基板カバー
４７ａ  基板カバーの表面部
４７ｃ，４７ｄ  位置決め穴
４８  規制カバー  
５０  制御基板ケース
６０  基板ケース
１００  主制御基板
１５０  電源基板
１７０  払出制御基板
２００  保護カバー
２００ａ，２００ｂ  ネジ孔
２００ｃ，２００ｄ  位置決めピン
２００ｅ  下端部
２００ｆ  壁部
２１０  ハーネス（配線）
２１０ａ  ハーネス側コネクタ（配線側コネクタ）
４００  貯留タンク
【図１】
2006087550.tif 000003
【図２】
2006087550.tif 000004
【図３】
2006087550.tif 000005
【図４】
2006087550.tif 000006
【図５】
2006087550.tif 000007
【図６】
2006087550.tif 000008
【図７】
2006087550.tif 000009
【図８】
2006087550.tif 000010
【図９】
2006087550.tif 000011